(57)【要約】  【課題】  制御基板に不正がなされたとしても容易に発見することができる。  【解決手段】  メイン制御基板ケース３０は、ケース本体４０とケース蓋体５０とによりメイン制御基板６０を収容している。封印シール７０は、ホログラム脆性シールであり、一方の面がケース蓋体５０に接着され、他方の面がメイン制御基板６０に接着され、ケース蓋体５０とメイン制御基板６０とを引き離すと不可逆的に破壊される。ここで、不正行為者がメイン制御基板６０に不正を働こうとすればケース蓋体６０とメイン制御基板６０とを引き離すことになるが、その場合には封印シール７０が不可逆的に破壊されるため、再び封印シール７０を元に戻そうとしても元に戻らない。したがって、検査担当者は封印シールの様子を見れば不正行為がなされたことを容易に発見することができる。【選択図】  図２
2005342096.tif 000002
【特許請求の範囲】
【請求項１】
制御基板を収容する基板ケースを備えた遊技機であって、
前記基板ケースを構成する基板ケース構成体と、
一方の面が前記基板ケース構成体に接着され他方の面が前記制御基板に接着され前記基板ケース構成体と前記制御基板とを引き離すと不可逆的に破壊される被破壊部を有する封印シールと、
を備えた遊技機。
【請求項２】
前記封印シールは、外部から真贋の確認を行うための真贋確認部としてレーザ光又はＵＶ光を照射することにより判読可能となる文字、図形又は記号によって真贋の確認を行う照射確認部を有し、前記基板ケース構成体は、前記照射確認部を外部に露出するための照射用窓を有している、請求項１に記載の遊技機。
【請求項３】
前記封印シールは、外部から真贋の確認を行うための真贋確認部として前記照射確認部に加えて目視により真贋の確認を行う目視確認部を有している、請求項２に記載の遊技機。
【請求項４】
前記被破壊部は、前記照射用窓と前記制御基板のチップ実装箇所とを結ぶ線を横切る領域に形成されている、請求項２又は３に記載の遊技機。
【請求項５】
前記被破壊部は、前記照射用窓の全周にわたって形成されている、請求項２〜４のいずれかに記載の遊技機。
【請求項６】
前記基板ケース構成体は、前記制御基板の実装面と略合致し該制御基板のコネクタを外部に露出させるコネクタ用窓部を有する構成体縁部と、該構成体縁部から立ち上がるように延設され前記制御基板の実装面上の電子部品を収容する空間を形成する構成体底面部と、を備え、
前記封印シールは、前記構成体縁部のうち前記コネクタ用窓の近傍に接着されている、請求項１〜５のいずれかに記載の遊技機。
【発明の詳細な説明】
【技術分野】
【０００１】
本発明は、遊技機に関する。
【背景技術】
【０００２】
従来より、遊技機では、制御基板に搭載したＣＰＵがＲＯＭに記録されたプログラムに基づいて種々の電子制御を行っている。この制御基板のＲＯＭがいわゆる不正ＲＯＭに交換されると、遊技機として検査をパスしたときとは異なる遊技が行われることになる。このような不正を防止するために、特許文献１では基板ケースにＲＯＭの一部が露出する開口部を形成し、この開口部から露出したＲＯＭと基板ケースにまたがるように封印シールを貼り付けることにより、基板ケースと共にＲＯＭを封印シールで封印している。
【特許文献１】特開平９−２３９１２４号公報
【発明の開示】
【発明が解決しようとする課題】
【０００３】
しかしながら、特許文献１のように基板ケースとＲＯＭとを封印シールで封印したとしても、封印シールは全体が外部に露出しているため、きれいに剥がされて再利用されることがあり、遊技機に不正がなされたとしても気がつかないおそれがあった。
【０００４】
本発明は、制御基板に不正がなされたとしても容易に発見することができる遊技機を提供することを目的とする。
【課題を解決するための手段】
【０００５】
本発明は、上述の目的を達成するために以下の手段を採った。
【０００６】
手段１．制御基板を収容する基板ケースを備えた遊技機であって、
前記基板ケースを構成する基板ケース構成体と、
一方の面が前記基板ケース構成体に接着され他方の面が前記制御基板に接着され前記基板ケース構成体と前記制御基板とを引き離すと不可逆的に破壊される被破壊部を有する封印シールと、
を備えた遊技機。
【０００７】
この遊技機において、制御基板に不正を働こうとすれば基板ケース構成体と制御基板とを引き離すことになるが、その場合には封印シールが不可逆的に破壊されるため、再び封印シールを元に戻そうとしても元に戻らない。したがって、不正行為者が制御基板上の部品を不正な部品に交換したり制御基板ごと不正な制御基板に交換したとしても、検査担当者は封印シールの様子を見れば不正行為がなされたことを容易に発見することができる。
【０００８】
手段２．前記封印シールは、外部から真贋の確認を行うための真贋確認部を有している、手段１に記載の遊技機。こうすれば、基板ケースを開かなくても容易に真贋の確認を行うことができる。
【０００９】
手段３．前記真贋確認部は、目視により真贋の確認を行う目視確認部を有する、手段２に記載の遊技機。こうすれば、検査担当者が外部から見るだけで真贋の確認を行うことができる。
【００１０】
手段４．前記目視確認部は、ホログラムパターンである、手段３に記載の遊技機。ホログラムパターンはコピー機や写真撮影等によって偽造することができないため、セキュリティが高い。
【００１１】
手段５．前記真贋確認部は、レーザ光又はＵＶ光を照射することにより判読可能となる文字、図形又は記号によって真贋の確認を行う照射確認部を有している、手段２〜４のいずれかに記載の遊技機。こうすれば、レーザ光又はＵＶ光を照射しなければ照射確認部の内容を知ることができないため、セキュリティが高い。
【００１２】
手段６．前記照射確認部は、前記基板ケース構成体に設けられた照射用窓から外部に露出している、手段５に記載の遊技機。こうすれば、レーザ光又はＵＶ光が基板ケース構成体により妨げられることがないため、精度よく真贋の確認を行うことができる。
【００１３】
手段７．前記照射確認部は、所定のレーザ光が前記照射用窓を介して照射されたときに読み取り可能となる、手段６に記載の遊技機。こうすれば、所定のレーザ光を照射しなければ照射確認部の内容を知ることができないため、セキュリティが高い。
【００１４】
手段８．前記被破壊部は、前記照射用窓と前記制御基板のチップ実装箇所とを結ぶ線を横切るように形成されている、手段６又は７に記載の遊技機。こうすれば、不正行為者が照射用窓から何らかの道具をＲＯＭ等のチップ実装箇所に向かって差し込んだ場合には被破壊部が破壊されるため、検査担当者は封印シールの様子を見れば不正行為がなされたことを容易に発見することができる。
【００１５】
手段９．前記被破壊部は、前記照射用窓の全周にわたって形成されている、手段６〜８のいずれかに記載の遊技機。こうすれば、不正行為者が照射用窓から何らかの道具を差し込んだ場合には被破壊部が破壊されるため、検査担当者は封印シールの様子を見れば不正行為がなされたことを容易に発見することができる。
【００１６】
手段１０．前記被破壊部は、前記基板ケース構成体と前記制御基板とを引き離すと複数の断片に分離しその一部が前記基板ケース構成体に付着し残りが前記制御基板に付着する、手段１〜９のいずれかに記載の遊技機。こうすれば、被破壊部を比較的簡単に実現することができる。このとき、被破壊部のうち基板ケース構成体に付着した断片又は制御基板に付着した断片が所定の文字列（例えば「開封済」、「使用済」等）を形成するようにしてもよい。
【００１７】
手段１１．前記基板ケース構成体は、前記制御基板の実装面と略合致し該制御基板のコネクタを外部に露出させるコネクタ用窓部を有する構成体縁部と、該構成体縁部から立ち上がるように延設され前記制御基板の実装面上の電子部品を収容する空間を形成する構成体底面部と、を備え、前記封印シールは、前記構成体縁部のうち前記コネクタ用窓の近傍に接着されている、手段１〜１０のいずれかに記載の遊技機。基板ケース構成体のうちコネクタ用窓の近傍は制御基板と略合致するように形成されていることから、ここに封印シールを貼り付けるようにすれば、別途、封印シールを貼り付けるための箇所を作る必要がない。
【００１８】
手段１２．前記基板ケース構成体のうち前記封印シールと接着される面及び前記制御基板のうち前記封印シールと接着される面は粗化されている、手段１〜１１のいずれかに記載の遊技機。こうすれば、基板ケース構成体と封印シールとの接着力や制御基板と封印シールとの接着力が強くなるから、制御基板の交換等の不正行為が一層やりにくくなる。
【００１９】
手段１３．前記基板ケース構成体、前記封印シール及び前記制御基板は、固有の識別情報が３者を貫くようにしてマーキングされている、手段１〜１２のいずれかに記載の遊技機。こうすれば、正規の封印シール又は制御基板を偽造品に交換するという不正行為がなされたとすると、もともとマーキングされていた固有の識別情報が読み取れなくなるため、そのような不正行為を容易に発見することができる。なお、固有の識別情報としては、例えば製品番号や製品名などが挙げられ、マーキングとしては、例えばレーザマーキングなどが挙げられる。
【００２０】
手段１４．前記被破壊部は、前記基板ケース構成体と前記制御基板とを引き離すと色が変わる、手段１〜１３のいずれかに記載の遊技機。こうすれば、基板ケース構成体と制御基板とを引き離したときに不可逆的に被破壊部の色が変わるため、両者が引き離されたことを容易に認識することができる。このような被破壊部としては、例えば、基板ケース構成体と制御基板とを引き離したときに剥離される部分に発色マイクロカプセルと顕色剤とを封入しておき、剥離されたときに発色マイクロカプセルが破れて中の発色剤が顕色剤と接触して発色するようにしてもよい。
【００２１】
手段１５．前記被破壊部は、前記基板ケース構成体と前記制御基板とを引き離すと所定の電気回路が切断される、手段１〜１４のいずれかに記載の遊技機。こうすれば、所定の電気回路の断線の有無をチェックすれば容易に基板ケース構成体と制御基板とが引き離されたか否かを確認することができる。
【００２２】
手段１６．前記遊技機はパチンコ機である、手段１〜１５のいずれかに記載の遊技機。こうすれば、パチンコ機において、手段１〜１５の作用効果が得られる。
【００２３】
手段１７．前記遊技機はスロットマシンである、手段１〜１５のいずれかに記載の遊技機。こうすれば、スロットマシンにおいて、手段１〜１５の作用効果が得られる。
【００２４】
手段１８．前記遊技機はパチンコ機とスロットマシンとを融合させてなる融合機である、手段１〜１５のいずれかの遊技機。こうすれば、パチンコ機とスロットマシンとを融合させてなる融合機において、手段１〜１５の作用効果が得られる。ここで、融合機としては、例えば遊技媒体としてメダルの代わりに遊技球を用いるスロットマシンなどが挙げられる。
【００２５】
なお、本発明は上述したように遊技機として捉えることもできるが、基板ケースとして捉えることもできる。即ち、「基板ケースを構成する基板ケース構成体と、一方の面が前記基板ケース構成体に接着され他方の面が前記制御基板に接着され前記基板ケース構成体と前記制御基板とを引き離すと不可逆的に破壊される被破壊部を有する封印シールと、を備えた基板ケース」として捉えることもできる。この基板ケースでは、制御基板に不正を働こうとすれば基板ケース構成体と制御基板とを引き離すことになるが、その場合には封印シールが不可逆的に破壊されるため、再び封印シールを元に戻そうとしても元に戻らない。したがって、不正行為者が制御基板上の部品を不正な部品に交換したり制御基板ごと不正な制御基板に交換したとしても、検査担当者は封印シールの様子を見れば不正行為がなされたことを容易に発見することができる。この基板ケースにつき、手段２〜１５と同様の限定を加えてもよい。その場合も手段２〜１５と同様の効果が得られる。
【発明を実施するための最良の形態】
【００２６】
次に、本発明を実施するための最良の実施形態を説明する。図１は本実施形態のパチンコ機２０を裏面から見た外観図であり、図２はメイン制御基板ケース３０を一方から見たときの斜視図、図３はメイン制御基板ケース３０の組立斜視図、図４は図２におけるシール用窓５５の周辺部分の断面図、図５は封印シール７０の説明図で図５（ａ）は斜視図、（ｂ）はＡ−Ａ断面図である。なお、図２の円内はシール用窓５５の周辺部分の拡大正面図である。
【００２７】
パチンコ機２０は、図１に示すように、外枠２にヒンジ３を介して開閉自在に取り付けられた前枠４と、外枠２の裏側上部に取り付けられ遊技球を貯留可能なタンク６と、遊技球をタンク６から遊技球払出装置８へと導くタンクレール１０と、遊技球払出装置８を制御する払出制御基板を収容する払出制御基板ケース１２と、外枠２の裏面中央に開閉自在に取り付けられ特別図柄表示装置としての液晶ディスプレイの表示制御を司る表示制御基板を収容する表示制御基板ケースや各種ランプの表示制御を司るランプ制御基板を収容するランプ制御基板ケースやスピーカからの発生音の制御を司る音声制御基板を収容する音声制御基板ケースなどを内包する大型カバー１４と、遊技盤の各種入賞口への遊技球の入賞に応じて各種制御基板へ制御信号を出力するメイン制御基板６０を収容するメイン制御基板ケース３０と、遊技球を遊技盤へ発射させるステップモータ１６とを備える。
【００２８】
メイン制御基板ケース３０は、ケース蓋体５０の内面側にメイン制御基板６０をネジ又は接着剤で固定し、このケース蓋体５０をケース本体４０に長辺方向に沿ってスライドさせて一体化したあと、ケース本体４０に設けられた封止用ブロック４６とケース蓋体５０に設けられた封止用スリット５６とを整合させた状態でＪ字金具８０により両者を不可逆的に封止したものである。このように、メイン制御基板ケース３０は、ケース本体４０とケース蓋体５０とによって囲まれる収容空間にメイン制御基板６０の実装面上に取り付けたＩＣチップ等の電子部品を収容したものである。また、ケース蓋体５０に設けられたシール用窓５５からは、封印シール７０の一部（隠し文字列７３ｂ等）が外部に露出している。
【００２９】
ケース本体４０は、透明なポリカーボネート樹脂を成形したものであり、矩形状の本体底面部４１と、この本体底面部４１の各長辺に沿って立設した一対の本体長壁部４２，４２（図３参照）とを備えている。両本体長壁部４２，４２の内側には、ケース蓋体５０をスライドさせるためのレール溝４３，４３（図３参照）が長辺に沿って形成されている。また、一方の本体長壁部４２の外面には、パチンコ機２０の裏面にメイン制御基板ケース３０を引っかけるための引っ掛け部４４，４４が設けられている。また、ケース本体４０には、レール溝４３，４３をスライドしていくケース蓋体５０をレール溝４３，４３の終端にてストップさせるストッパ壁４３ａ，４３ａが形成されている。これら二つのストッパ壁４３ａ，４３ａの間には、５つの封止用ブロック４６，４６，…が設けられている。封止用ブロック４６は、内部に空洞が形成され、その空洞にはＪ字金具８０の長足部８１が一旦挿入されるとＪ字金具８０を抜き取ろうとしても長足部８１に形成されたギザギザの突起８２と係合して抜き取り方向への移動を阻止するフック（図示せず）が形成されている。
【００３０】
ケース蓋体５０は、透明なポリカーボネート樹脂を成形したものであり、矩形状の蓋体底面部５１と、この蓋体底面部５１の各長辺に沿って立設した一対の蓋体長壁部５２，５２とを備えている。このうち、蓋体底面部５１には、メイン制御基板６０の熱を外部へ放出するための多数の放熱孔５１ａが穿設されている。また、両蓋体長壁部５２，５２には、ケース本体４０のレール溝４３，４３に嵌め込んでスライドさせるための鍔部５３，５３（図２〜図４には片側のみ示す）が形成されている。この鍔部５３には、メイン制御基板６０のコネクタ６４を露出させるための複数のコネクタ用窓５４や封印シール７０の一部を露出させるためのシール用窓５５が設けられている。このシール用窓５５の周辺の面は封印シール７０の接着面であるが、粗化されて細かな凹凸が形成されている。また、ケース蓋体５０の一方の短辺には５つの封止用スリット５６，５６，…が設けられている。この封止用スリット５６の内部には、Ｊ字金具８０を封止用スリット５６に挿入するとＪ字金具８０の鈎状に形成された引掛部８３が引っ掛かる架橋部（図示せず）が形成されている。なお、ケース蓋体５０の他方の短辺には図示しないが蓋体短壁部が設けられ、この結果、ケース蓋体５０は、蓋体底面部５１の四方が蓋体長壁部５２，５２と封止用スリット５６，５６，…と基体短壁部とよって囲まれている。
【００３１】
メイン制御基板６０は、プリント配線板６１（図４参照）のうちケース蓋体５０側の面（実装面）に種々の電子部品が実装されたものである。実装された電子部品には、図２に示すように、パチンコ機２０の全体の制御を司るＣＰＵ６２や各種プログラムが記録されたＲＯＭ６３などが含まれる。このメイン制御基板６０上には、ここに実装された種々の電子部品と外部の電子部品とを電気的に接続するための複数のコネクタ６４も搭載されている。また、メイン制御基板６０のうち封印シール７０が接着される箇所は、粗化されて細かな凹凸が形成されている。ＣＰＵ６２は、ＲＯＭ６３に記録されたプログラムにしたがって各種の処理を実行するものであり、例えば遊技者にとって有利な特別遊技状態（いわゆる大当たり）へ移行するか否かについてはＲＯＭ６３に記録された大当たり確率のテーブルを参照する。したがって、このＲＯＭ６３を大当たり確率が極めて高いテーブルをもつ不正ＲＯＭに交換すると、不当な賞球が得られることになる。なお、各電子部品はメイン制御基板６０の実装面の裏側にはんだで固定されている。
【００３２】
封印シール７０は、いわゆるホログラム脆性シールであり、図５に示すように、全面にわたってホログラム形成層と反射層を備えたシール本体７３と、このシール本体７３の一方の面に形成された第１接着層７１と、シール本体７３の他方の面に形成された第２接着層７２とからなり、第１接着層７１がケース蓋体５０の鍔部５３に接着され、第２接着層７２がメイン制御基板６０の実装面側に接着されている。シール本体７３の一方の面の略四角形状の中央部分７４には、第１接着層７１が形成されていない。シール本体７３のうちホログラム形成層は、通常、レーザ光を用いて干渉縞を形成させる光学的なホログラム撮影方法が用いられる。例えば、二次元のモチーフ（本実施形態では図２に示すように「ＡＢＣＤ」が繰り返し配列されたもの）が描かれた原稿を用意し、２つに分岐させたレーザ光の一方をこの原稿に照射し、その反射光と分岐したもう一方のレーザ光とを干渉させてその干渉縞を感光材に記録し、これをホログラム原版としてプレスの手法により作成したものである。この封印シール７０は、第１接着層７１側から見るときの角度を変えていくとそれに応じて色が変化するようになっているが、単なるコピーや写真撮影では複製できないことからセキュリティが高い。また、シール本体７３の中央部分７４には、ホログラム形成層に加えて、レーザ光を照射すると判読可能となるレーザ発色剤で作成された隠し文字列７３ｂと、肉眼では判読できず通常のコピー機では解像度の関係からコピーできないほど極小の文字で構成された極小文字列７３ｃとが形成されている。この中央部分７４は、ケース蓋体５０の鍔部５３に形成されたシール用窓５５から外部に露出される。この結果、隠し文字列７３ｂ及び極小文字列７３ｃは、外部に露出した状態となる。
【００３３】
この封印シール７０は、ホログラム脆性シールであり、ケース蓋体５０とメイン制御基板６０とを引き離すと、両者に封印シール７０が分断されて付着し、そのうちメイン制御基板６０へ付着した部分が所定のパターン（ここでは「開封済」という文字パターン）として表れる。これにより、ケース蓋体５０とメイン制御基板６０とが引き離されたことが一目瞭然となり、また元通りに復元することもできないため改ざん防止になる。なお、この種のホログラム脆性シールは、例えば特開昭６３−１０６７８０号公報や特開平７−２１９４３５号公報等に開示されているように周知である。
【００３４】
次に、メイン制御基板ケース３０の組立方法について説明する。まず、封印シール７０をケース蓋体５０の鍔部５３に接着する。ここでは、封印シール７０の隠し文字列７３ｂがシール用窓５５から露出するようにして第１接着層７１を介してケース蓋体５０の鍔部５３に接着する。次に、ケース蓋体５０の内面側にメイン制御基板６０をネジ又は接着剤で固定する。すると、メイン制御基板６０は封印シール７０の第２接着層７２と接着される。そして、メイン制御基板６０が固定されたケース蓋体５０を、ケース本体４０のレール溝４３，４３に沿ってスライドさせて一体化する。これにより、各封止用ブロック４６と各封止用スリット５６とが整合した状態となる。最後に、Ｊ字金具８０を封止用スリット５６に差し込む。すると、Ｊ字金具８０の鍵状に形成された引掛部８３が封止用スリット５６内の図示しない架橋部に引っ掛かりつつ長足部８１の突起８２が封止用ブロック４６内の図示しないフックと抜き取り不能となるように係合する。この結果、封止用ブロック４６と封止用スリット５６とはＪ字金具８０により不可逆的に封止される。また、封印シール７０の隠し文字列７３ｂ及び極小文字列７３ｃがケース蓋体５０のシール用窓５５から外部に露出した状態となる。
【００３５】
次に、メイン制御基板ケース３０につき不正行為がなされたか否かの検査について説明する。検査担当者は、まず、封止用ブロック４６と封止用スリット５６との封止が不正に解除されていないかどうかを判定する。この封止を不正に解除した場合には、封止用スリット５６とケース蓋体５０との連結が切断された痕跡が残っているため、この痕跡の有無により封止が不正に解除されたか否かを判定することができる。続いて、封印シール７０による封印が不正に解除されていないかどうかを判定する。この封印を不正に解除した場合には、封印シール７０はホログラム脆性シールとして機能して不可逆的に破壊され、メイン制御基板６０側に「開封済」という文字パターンが表れる。このため、この文字パターンの有無により封印シール７０による封印が不正に解除されているか否かを判定することができる。ここで、本実施形態では、ケース蓋体５０の鍔部５３にシール用窓５５を形成しているため、不正行為者はこのシール用窓５５から何らかの道具を差し込んでメイン制御基板６０に不正を働くことが考えられる。しかし、封印シール７０の全体がホログラム脆性シールとして機能するため、シール用窓５５から何らかの道具を差し込んだときにはその差し込んだ部分に「開封済」の文字パターンの一部が表れることになる。
【００３６】
また、封印シール７０が偽造シールに貼り替えられたか否かは、見る角度によって色が変化するか否かを検査し、見る角度を換えても色が変化しなければ、ホログラム形成層のないシールであるため偽造シールであると判定することができる。また、隠し文字列７３ｂが形成されている箇所にレーザ光を照射して予め定められた文字列（例えばシリアル番号やＩＤ番号などの固有識別情報）が認識できるか否かを検査し、予め定められた文字列が認識できなければ偽造シールであると判定することができる。このとき、隠し文字列７３ｂはケース蓋体５０の透明樹脂に覆われておらずシール用窓５５から外部に露出しているため、レーザ光による隠し文字列７３ｂの認識が透明樹脂により妨げられず、精度よく判定することができる。更に、極小文字列７３ｃが形成されている箇所を拡大鏡等で拡大して予め定められた文字列（例えばシリアル番号やＩＤ番号などの固有識別情報）が認識できるか否かを検査し、予め定められた文字列が認識できなければ偽造シールであると判定することができる。このとき、極小文字列７３ｃもケース蓋体５０の透明樹脂に覆われておらずシール用窓５５から外部に露出しているため、拡大したときの拡大像が透明樹脂により妨げられず、精度よく判定することができる。
【００３７】
ここで、本実施形態の構成要素と本発明の構成要素との対応関係を明らかにする。本実施形態のケース蓋体５０が本発明の基板ケース構成体に相当し、鍔部５３が構成体縁部に相当し、蓋体底面部５１が構成体底面部に相当し、ホログラム脆性シールである封印シール７０の全体が被破壊部であると同時に目視確認部（真贋確認部の一種）に相当し、隠し文字列７３ｂが照射確認部（真贋確認部の一種）に相当し、シール用窓５５が照射用窓に相当する。なお、極小文字列７３ｃは真贋確認部の一種である。
【００３８】
以上詳述した本実施形態によれば、メイン制御基板６０に不正を働こうとすればケース蓋体５０とメイン制御基板６０とを引き離すことになるが、その場合にはホログラム脆性シールである封印シール７０が不可逆的に破壊されるため、再び封印シール７０を元に戻そうとしても元に戻らない。したがって、不正行為者がメイン制御基板６０上のＲＯＭ６３等の部品を不正な部品に交換したりメイン制御基板６０ごと不正な制御基板に交換したとしても、検査担当者は封印シール７０の様子を見れば不正行為がなされたことを容易に発見することができる。
【００３９】
また、ホログラム脆性シールである封印シール７０を外部から目視すればメイン制御基板ケース３０を開かなくても容易に真贋の確認を行うことができる。しかも、ホログラムパターンはコピー機や写真撮影等によって偽造することができないため、セキュリティが高い。
【００４０】
また、隠し文字列７３ｂはレーザ光を照射しなければその内容を知ることができないため、セキュリティが高い。この隠し文字列７３ｂはケース蓋体５０のシール用窓５５から外部に露出しているため、レーザ光はケース蓋体５０により妨げられることがないことから、精度よく真贋の確認を行うことができる。
【００４１】
また、封印シール７０そのものが被破壊部であるホログラム脆性シールに相当するため、被破壊部はシール用窓５５の全周にわたって（シール用窓５５とメイン制御基板６０のＲＯＭ６４の実装箇所とを結ぶ線を横切る領域Ｐ（図１参照）を含む）形成されていることになる。このため、不正行為者がシール用窓５５から何らかの道具をＲＯＭ６３等のチップ実装箇所に向かって差し込んだ場合にはホログラム脆性シールが破壊されることにより、検査担当者は封印シール７０のホログラムの様子を見れば不正行為がなされたことを容易に発見することができる。
【００４２】
また、封印シール７０はケース蓋体５０のうちメイン制御基板６０と略合致するように形成されている鍔部５３（コネクタ用窓５４の近傍部分）を利用して貼り付けてあるため、別途、封印シール７０を貼り付けるための箇所を作る必要がない。
【００４３】
また、ケース蓋体５０のうち封印シール７０が接着されるシール用窓５５の周辺面及びメイン制御基板６０のうち封印シール７０が接着される面が粗化されているため、ケース蓋体５０と封印シール７０との接着力やメイン制御基板６０と封印シール７０との接着力が強くなるから、メイン制御基板６０の交換等の不正行為が一層やりにくくなる。
【００４４】
また、封印シール７０は極小文字列７３ｃを有しているが、この極小文字列７３ｃは肉眼では識別できないうえコピー機や写真撮影等によって偽造しようとしても解像度の関係で偽造できないため、セキュリティが高い。
【００４５】
なお、本発明の実施の形態は、上述した実施形態に何ら限定されるものではなく、本発明の技術的範囲に属する限り種々の形態を採り得ることはいうまでもない。
【００４６】
例えば、上述した実施形態では、本発明の遊技機の基板ケースの一例としてメイン制御基板ケース３０を示したが、例えば払出制御基板を収容する払出制御基板ケース、表示制御基板を収容する表示制御基板ケース、ランプ制御基板を収容するランプ制御基板ケース、又は音声制御基板を収容する音声制御基板ケースなどに本発明を適用してもよい。これらの場合も上述した実施形態と同様の効果が得られる。
【００４７】
また、上述した実施形態では、目視確認部としてホログラム脆性シール（被破壊部でもある）を採用したが、目視確認部としてホログラムが形成されていない脆性シールを採用してもよい。
【００４８】
更に、上述した実施形態では、照射確認部としてレーザ光により判読可能となるレーザ発色剤で作成した隠し文字列７３ｂを採用したが、ＵＶ光により認識できるフォトクロミックインクで作成した隠し文字列を採用してもよい。
【００４９】
更にまた、上述した実施形態において、ケース蓋体５０と封印シール７０とメイン制御基板６０の３者を貫くようにしては固有識別情報（シリアル番号や製品名等）をレーザマーキングしておいてもよい。こうすれば、正規の封印シール７０やメイン制御基板６０を偽造品に交換するという不正行為がなされたとすると、もともとマーキングされていた固有識別情報が読み取れなくなるため、そのような不正行為を容易に発見することができる。
【００５０】
そしてまた、上述した実施形態では、被破壊部としてホログラム脆性シールを採用したが、これに代えて、ケース蓋体５０とメイン制御基板６０とを引き離すと封印シール７０の色が不可逆的に変わるものを採用してもよい。こうすれば、色の変化によってケース蓋体５０とメイン制御基板６０とが引き離されたことを容易に認識することができる。具体的な構成としては、例えば、封印シール７０のうちケース蓋体５０とメイン制御基板６０とを引き離したときに剥離される部分に発色マイクロカプセルと顕色剤とを封入しておき、剥離されたときに発色マイクロカプセルが破れて中の発色剤が顕色剤と接触して発色するようにしてもよい。
【００５１】
あるいは、被破壊部として、封印シール７０のうちケース蓋体５０とメイン制御基板６０とを引き離したときに剥離される部分に所定の電気回路として発信回路を形成しておき、剥離されたときにその発信回路が切断されて発信が途絶えるようにしてもよい。こうすれば、その発信回路の断線の有無をチェックすれば容易にケース蓋体５０とメイン制御基板６０とが引き離されたか否かを確認することができる。
【００５２】
そして更に、上述した実施形態の封印シール７０の代わりに、図６に示す封印シール１７０を採用してもよい。図６（ａ）は封印シール１７０の平面図、（ｂ）はＢ−Ｂ断面図である。封印シール１７０は、円盤１７３ａの周りに円周帯１７３ｂが多重に形成され各円周帯１７３ｂを直径方向の複数の直線部１７３ｃで結んだ形状のシール本体１７３と、このシール本体１７３の一方の面に形成された第１接着層１７１と、シール本体１７３の他方の面に形成された第２接着層１７２とからなり、第１接着層１７１がケース蓋体５０の鍔部５３に接着され、第２接着層１７２がメイン制御基板６０の実装面側に接着される。このシール本体１７３も、全面にわたってホログラム形成層と反射層を備えた脆性シールである。また、シール本体１７３の円周帯１７３ｂや直線部１７３ｃの上には、シール本体１７３とは別体の文字列１７４（ここでは「ＳＥＣＵＲＩＴＹ」）が重なるように形成されている。ここでは、文字列１７４の各文字は、円周帯１７３ｂから外側へ一部はみ出ている。この封印シール１７０は、使用前の状態では、台紙１７８と透明シート１７９との間に挟まれており、台紙１７８は第２接着層１７２と接するもののごく弱い力でしか接着しておらず、透明シート１７９は第１接着層１７１とやや強い力で接着している。この封印シール１７０を使用するには、まず、透明シート１７９を台紙１７８から剥離する。すると、透明シート１７９は、裏側に封印シール１７０が貼着した状態で台紙１７８から剥離する。この封印シール１７０を透明シート１７９ごとメイン制御基板６０に貼り付けたあと、透明シート１７９をメイン制御基板６０から引き離すと、透明シート１７９のみ剥離して封印シール１７０は第２接着層１７２がメイン制御基板６０と接着した状態となる。あとは、上述した実施形態とほぼ同様にして、封印シール１７０が接着されたメイン制御基板６０をケース蓋体５０の鍔部５３に取り付けることにより、封印シール１７０は第１接着層１７１が鍔部５３と接着する。その後、ケース蓋体５０からメイン制御基板６０を取り外したときには、上述した実施形態とほぼ同様にして、封印シール１７０を剥がした痕跡が残る。また、文字列１７４がシール本体１７３の円周帯１７３ｂや直線部１７３ｃの上に重なっているため、この文字列１７４も寸断される。
【００５３】
そして更にまた、上述した実施形態では、パチンコ機２０を例にとって説明したが、本発明が適用可能な遊技機はパチンコ機に限定されるものではなく、例えばスロットマシンや、パチンコ機とスロットマシンとを融合させた遊技機などにも適用することができるのは勿論である。
【図面の簡単な説明】
【００５４】
【図１】本実施形態のパチンコ機２０を裏面から見た外観図である。
【図２】メイン制御基板ケース３０を一方から見たときの斜視図である。
【図３】メイン制御基板ケース３０の組立斜視図である。
【図４】図２におけるシール用窓５５の周辺部分の断面図である。
【図５】封印シール７０の説明図で（ａ）は斜視図、（ｂ）はＡ−Ａ断面図である。
【図６】封印シール１７０の説明図で（ａ）は平面図、（ｂ）はＢ−Ｂ断面図である。
【符号の説明】
【００５５】
３…ヒンジ、４…前枠、６…タンク、８…遊技球払出装置、１０…タンクレール、１２…払出制御基板ケース、１４…大型カバー、１６…ステップモータ、２０…パチンコ機、３０…メイン制御基板ケース、４０…ケース本体、４１…本体底面部、４２…本体長壁部、４３…レール溝、４３ａ…ストッパ壁、４６…封止用ブロック、５０…ケース蓋体、５１…蓋体底面部、５１ａ…放熱孔、５２…蓋体長壁部、５３…鍔部、５４…コネクタ用窓、５５…シール用窓、５６…封止用スリット、６０…メイン制御基板、６１…プリント配線板、６２…ＣＰＵ、６３…ＲＯＭ、６４…コネクタ、７０…封印シール、７１…第１接着層、７２…第２接着層、７３…シール本体、７３ｂ…文字列、７３ｃ…極小文字列、７４…中央部分、８０…Ｊ字金具、８１…長足部、８２…突起、８３…引掛部、１７０…封印シール、１７１…第１接着層、１７２…第２接着層、１７３…シール本体、１７４…文字列、１７８…台紙、１７９…透明シート。
【図１】
2005342096.tif 000003
【図２】
2005342096.tif 000004
【図３】
2005342096.tif 000005
【図４】
2005342096.tif 000006
【図５】
2005342096.tif 000007
【図６】
2005342096.tif 000008